(57)【要約】【課題】例えば左手を撮影する場合に、右を示す鉛文字を貼り付けてしまうという間違いを簡単に防止することができ、撮影のトータル時間の短縮化、無駄な撮影の回避を実現する。【解決手段】基材３０２と、該基材３０２に設けられ、鉛で文字を模った鉛文字３０４とを有する鉛文字板３００において、基材３０２の一部に無線通信手段を有する。無線通信手段として、無線ＩＣタグ３０６（ＲＦＩＤタグあるいは電子タグ等とも称される）を用いることができる。そして、電子カセッテは、筐体と、該筐体内に収容され、被写体を透過した放射線源からの放射線を検出し、放射線画像情報に変換する放射線変換パネルとを有し、筐体の表面に鉛文字板が取り付けられて使用される。筐体内には、鉛文字板３００の無線ＩＣタグ３０６からの送信情報を受信する受信部を有する。【選択図】図１
2009178522.tif 000002
【特許請求の範囲】
【請求項１】
基材と、該基材に設けられ、鉛で文字を模った鉛文字とを有する鉛文字板において、
前記基材の一部に無線通信手段を有することを特徴とする鉛文字板。
【請求項２】
筐体と、該筐体内に収容され、被写体を透過した放射線源からの放射線を検出し、放射線画像情報に変換する放射線変換パネルとを有し、前記筐体の表面に鉛文字板が取り付けられて使用される放射線変換器であって、
前記鉛文字板は、基材と、該基材に設けられ、鉛で文字を模った鉛文字とを有し、前記基材の一部に無線通信手段を有し、
前記筐体内に、前記鉛文字板の前記無線通信手段からの送信情報を受信する受信部を有することを特徴とする放射線変換器。
【請求項３】
請求項２記載の放射線変換器において、
入力された少なくとも撮影部位情報と前記送信情報とを比較する比較部と、
前記比較部での比較結果を報知する報知手段を有することを特徴とする放射線変換器。
【請求項４】
請求項３記載の放射線変換器において、
前記報知手段は、
前記筐体に表示部を有し、
前記比較部での比較結果に対応した内容の表示を行う表示制御部を有することを特徴とする放射線変換器。
【請求項５】
請求項３又は４記載の放射線変換器において、
前記比較部において前記送信情報が前記撮影部位情報と対応してないと判別された場合に、前記放射線源からの前記放射線の出力を禁止するための曝射禁止信号を出力する禁止信号出力部を有することを特徴とする放射線変換器。
【請求項６】
筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルとを有する放射線画像撮影システムにおいて、
前記鉛文字板は、基材と、該基材に設けられ、鉛で文字を模った鉛文字とを有し、前記基材の一部に無線通信手段を有し、
前記放射線変換器は、
前記鉛文字板の前記無線通信手段からの送信情報を受信する受信部と、
入力された少なくとも撮影部位情報と前記送信情報とを比較する比較部とを有し、
前記クレードルは、
前記放射線変換器の前記比較部での比較結果を報知する報知手段を有することを特徴とする放射線画像撮影システム。
【請求項７】
筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルとを有する放射線画像撮影システムにおいて、
前記鉛文字板は、基材と、該基材に設けられ、鉛で文字を模った鉛文字とを有し、前記基材の一部に無線通信手段を有し、
前記放射線変換器は、
前記鉛文字板の前記無線通信手段からの送信情報を受信する受信部と、
少なくとも前記送信情報を送信する送受信部とを有し、
前記クレードルは、
前記放射線変換器から送信された前記送信情報と、入力された少なくとも撮影部位情報とを比較する比較部と、
前記比較部での比較結果を報知する報知手段を有することを特徴とする放射線画像撮影システム。
【請求項８】
請求項６又は７記載の放射線画像撮影システムにおいて、
前記報知手段は、
前記クレードルに設置された表示部と、
前記クレードルに設けられ、前記表示部に前記比較部での比較結果に対応した内容の表示を行う表示制御部とを有することを特徴とする放射線画像撮影システム。
【請求項９】
請求項６〜８のいずれか１項に記載の放射線画像撮影システムにおいて、
前記報知手段は、
前記クレードルに設けられた音声出力部と、
前記クレードルに設けられ、前記比較部での比較結果に対応した内容を音声出力するように制御を行う音声出力制御部とを有することを特徴とする放射線画像撮影システム。
【請求項１０】
請求項６〜９のいずれか１項に記載の放射線画像撮影システムにおいて、
前記クレードルは、
前記比較部において前記送信情報が前記撮影部位情報と対応してないと判別された場合に、前記放射線源からの前記放射線の出力を禁止するための曝射禁止信号を出力する禁止信号出力部を有することを特徴とする放射線画像撮影システム。
【請求項１１】
筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置とを有する放射線画像撮影システムにおいて、
前記放射線変換器は、
前記鉛文字板の前記無線通信手段からの送信情報を受信する受信部と、
入力された少なくとも撮影部位情報と前記送信情報とを比較する比較部とを有し、
前記制御装置は、
前記放射線変換器の前記比較部での比較結果を報知する報知手段を有することを特徴とする放射線画像撮影システム。
【請求項１２】
筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置とを有する放射線画像撮影システムにおいて、
前記放射線変換器は、
前記鉛文字板の前記無線通信手段からの送信情報を受信する受信部と、
少なくとも前記送信情報を送信する送受信部とを有し、
前記制御装置は、
前記放射線変換器から送信された前記送信情報と、入力された少なくとも撮影部位情報とを比較する比較部と、
前記比較部での比較結果を報知する報知手段を有することを特徴とする放射線画像撮影システム。
【請求項１３】
請求項１１又は１２記載の放射線画像撮影システムにおいて、
前記報知手段は、
前記制御装置の前記表示部に前記比較部での比較結果に対応した内容の表示を行う表示制御部を有することを特徴とする放射線画像撮影システム。
【請求項１４】
請求項１１〜１３のいずれか１項に記載の放射線画像撮影システムにおいて、
前記報知手段は、
前記制御装置の音声出力部を介して前記比較部での比較結果に対応した内容を音声出力するように制御を行う音声出力制御部を有することを特徴とする放射線画像撮影システム。
【請求項１５】
請求項１１〜１４のいずれか１項に記載の放射線画像撮影システムにおいて、
前記制御装置は、
前記比較部において前記送信情報が前記撮影部位情報と対応してないと判別された場合に、前記撮影装置に対して前記放射線の出力を禁止するための曝射禁止信号を出力する禁止信号出力部を有することを特徴とする放射線画像撮影システム。
【請求項１６】
基材と、該基材に設けられ、鉛で文字を模った鉛文字とを有する１以上の鉛文字板を収容するためのケース本体を有する鉛文字用ケースにおいて、
前記鉛文字板は、前記基材の一部に無線通信手段を有し、
前記ケース本体は、前記鉛文字板の前記無線通信手段からの送信情報を受信する受信部を有することを特徴とする鉛文字用ケース。
【請求項１７】
請求項１６記載の鉛文字用ケースにおいて、
前記ケース本体は、
入力された少なくとも撮影部位情報と前記送信情報とを比較する比較部と、
前記比較部での比較結果を報知する報知手段を有することを特徴とする鉛文字用ケース。
【請求項１８】
請求項１７記載の鉛文字用ケースにおいて、
前記報知手段は、
前記ケース本体に設置された表示部と、
前記ケース本体に設けられ、前記表示部に前記比較部での比較結果に対応した内容の表示を行う表示制御部とを有することを特徴とする鉛文字用ケース。
【請求項１９】
請求項１７又は１８のいずれか１項に記載の鉛文字用ケースにおいて、
前記報知手段は、
前記ケース本体に設けられた音声出力部と、
前記ケース本体に設けられ、前記比較部での比較結果に対応した内容を音声出力するように制御を行う音声出力制御部とを有することを特徴とする鉛文字用ケース。
【請求項２０】
請求項１７〜１９のいずれか１項に鉛文字用ケースにおいて、
前記ケース本体は、
前記比較部において前記送信情報が前記撮影部位情報と対応してないと判別された場合に、前記放射線源からの前記放射線の出力を禁止するための曝射禁止信号を出力する禁止信号出力部を有することを特徴とする鉛文字用ケース。
【請求項２１】
基材と、該基材に設けられ、鉛で文字を模った鉛文字とを有する１以上の鉛文字板が収容された鉛文字用ケースが載置される載置台を有し、少なくとも前記鉛文字用ケースを保管するための保管設備において、
前記鉛文字板は、前記基材の一部に無線通信手段を有し、
前記載置台は、前記鉛文字板の前記無線通信手段からの送信情報を受信する受信部を有することを特徴とする保管設備。
【請求項２２】
請求項２１記載の保管設備において、
前記載置台は、
入力された少なくとも撮影部位情報と前記送信情報とを比較する比較部と、
前記比較部での比較結果を報知する報知手段を有することを特徴とする保管設備。
【請求項２３】
請求項２２記載の保管設備において、
前記報知手段は、
前記載置台に設置された表示部と、
前記載置台に設けられ、前記表示部に前記比較部での比較結果に対応した内容の表示を行う表示制御部とを有することを特徴とする保管設備。
【請求項２４】
請求項２２又は２３のいずれか１項に記載の保管設備において、
前記警告出力部は、
前記載置台に設けられた音声出力部と、
前記載置台に設けられ、前記比較部での比較結果に対応した内容を音声出力するように制御を行う音声出力制御部とを有することを特徴とする保管設備。
【請求項２５】
請求項２２〜２４のいずれか１項に保管設備において、
前記載置台は、
前記比較部において前記送信情報が前記撮影部位情報と対応してないと判別された場合に、前記放射線源からの前記放射線の出力を禁止するための曝射禁止信号を出力する禁止信号出力部を有することを特徴とする保管設備。
【請求項２６】
筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
入力された少なくとも撮影部位情報と前記送信情報とを比較する比較部とを有し、
前記クレードルは、
前記鉛文字用ケースの前記比較部での比較結果を報知する報知手段を有することを特徴とする放射線画像撮影システム。
【請求項２７】
筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
少なくとも前記送信情報を送信する送受信部とを有し、
前記クレードルは、
前記入力された少なくとも撮影部位情報と前記送信情報とを比較する比較部と、
前記鉛文字用ケースから送信された前記送信情報と、入力された少なくとも撮影部位情報とを比較する比較部と、
前記比較部での比較結果を報知する報知手段を有することを特徴とする放射線画像撮影システム。
【請求項２８】
筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
入力された少なくとも撮影部位情報と前記送信情報とを比較する比較部とを有し、
前記制御装置は、
前記鉛文字用ケースの前記比較部での比較結果を報知する報知手段を有することを特徴とする放射線画像撮影システム。
【請求項２９】
筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
少なくとも前記送信情報を送信する送受信部とを有し、
前記制御装置は、
前記入力された少なくとも撮影部位情報と前記送信情報とを比較する比較部と、
前記鉛文字用ケースから送信された前記送信情報と、入力された少なくとも撮影部位情報とを比較する比較部と、
前記比較部での比較結果を報知する報知手段を有することを特徴とする放射線画像撮影システム。
【請求項３０】
筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
入力された少なくとも撮影部位情報と前記送信情報とを比較する比較部とを有し、
前記クレードルは、
前記載置台の前記比較部での比較結果を報知する報知手段を有することを特徴とする放射線画像撮影システム。
【請求項３１】
筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
少なくとも前記送信情報を送信する送受信部とを有し、
前記クレードルは、
前記入力された少なくとも撮影部位情報と前記送信情報とを比較する比較部と、
前記載置台から送信された前記送信情報と、入力された少なくとも撮影部位情報とを比較する比較部と、
前記比較部での比較結果を報知する報知手段を有することを特徴とする放射線画像撮影システム。
【請求項３２】
筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
入力された少なくとも撮影部位情報と前記送信情報とを比較する比較部とを有し、
前記制御装置は、
前記載置台の前記比較部での比較結果を報知する報知手段を有することを特徴とする放射線画像撮影システム。
【請求項３３】
筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
少なくとも前記送信情報を送信する送受信部とを有し、
前記制御装置は、
前記入力された少なくとも撮影部位情報と前記送信情報とを比較する比較部と、
前記載置台から送信された前記送信情報と、入力された少なくとも撮影部位情報とを比較する比較部と、
前記比較部での比較結果を報知する報知手段を有することを特徴とする放射線画像撮影システム。
【請求項３４】
筐体と、該筐体内に収容され、被写体を透過した放射線源からの放射線を検出し、放射線画像情報に変換する放射線変換パネルとを有し、前記筐体の表面に鉛文字板が取り付けられて使用される放射線変換器が装填される装填部と、
放射線画像情報が記録された放射線変換パネルを搬送する搬送機構と、
前記放射線変換パネルに記録された前記放射線画像情報を、前記放射線変換パネルの搬送速度に同期して読み取る画像読取部と、
少なくとも前記搬送機構と前記画像読取部を制御する制御部とを有する画像読取装置において、
前記鉛文字板は、基材と、該基材に設けられ、鉛で文字を模った鉛文字とを有し、前記基材の一部に無線通信手段を有し、
前記装填部に、前記鉛文字板の前記無線通信手段からの送信情報を受信する受信部を有することを特徴とする画像読取装置。
【発明の詳細な説明】
【技術分野】
【０００１】
本発明は、被写体に放射線を照射して放射線画像の撮影を行う際に使用される鉛文字板、放射線画像の撮影を行うための放射線変換器、それを利用した放射線画像撮影システム、鉛文字板を収容するための鉛文字用ケース、鉛文字板を保管するための保管設備、並びに放射線変換器の放射線変換パネルから画像を読み取るための画像読取装置に関する。
【背景技術】
【０００２】
医療分野において、被写体に放射線を照射し、被写体を透過した放射線を放射線変換パネルに導いて放射線画像を撮影する放射線画像撮影装置が広汎に使用されている。
【０００３】
この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００４】
一方、手術室等の医療現場においては、患者に対して迅速且つ的確な処置を施すため、放射線変換パネルから直ちに放射線画像を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネルが開発されている。
【０００５】
放射線撮影においては、撮影条件や手技などのＸ線撮影に必要な情報の入力や調整を簡単にかつ速やかに行えるようにするために、特許文献１記載の方法が提案されている。この方法は、コンソールの表示画面に、撮影メニューと手技の詳細画面を表示して確認できるようにしたものである。
【０００６】
また、放射線撮影においては、多くの場合、被写体のごく一部分のみが撮影される。このため、従来のＸ線写真法においては、撮影時の患者の向きやＸ線の入射方向等の撮影条件をＸ線画像内に表示するために、撮影時に鉛でできた文字型を被写体と一緒に写し込んでいる。すなわち、右を示す「Ｒ」や左を示す「Ｌ」等の文字型を被写体と一緒に撮影することにより、フイルム上に文字型の影が撮影されるので、診断者やオペレータは、撮影部位や撮影方向等を容易に判別することができる。このようにしてＸ線画像に写し込まれる文字は、鉛文字と呼ばれている。
【０００７】
このような鉛文字を使用した場合、鉛文字を付着した状態で、例えば画像読取装置に間違って装填してしまった場合、画像読取装置内において鉛文字が落下する等、不測の事態を引き起こし、画像読取装置の故障を招来させるという問題がある。
【０００８】
そこで、特許文献２では、簡単な構成で、カセッテから鉛文字を容易かつ確実に除去し回収することを可能にする方法を提案している。この方法は、カセッテ装填部に回転可能なローラ部材を設け、ローラ部材を回転駆動機構を介してカセッテに対し、該カセッテの装填方向とは反対方向に相対的に回転させることで、鉛文字を回収除去するというものである。
【０００９】
【特許文献１】特開２００６−８１７６１号公報
【特許文献２】特開２０００−８９３９６号公報
【発明の開示】
【発明が解決しようとする課題】
【００１０】
しかしながら、特許文献１記載の方法は、詳細画面の内容が緻密であり、一目で確認することができない。技師は詳細画面を確認し、記憶した手技内容に基づいて鉛文字を設置することになるが、記憶違いや画面内容の見間違いによって間違った鉛文字を設置するおそれがある。このように、間違いの客観的な事前検出ができないという問題がある。
【００１１】
一方、特許文献２記載の装置は、鉛文字を除去回収するための装置であり、例えば左手を撮影する場合に、右を示す鉛文字を貼り付けてしまうという間違いを防止することはできない。また、装置内に、鉛文字が除去されたかどうかを確認する手段がない。カセッテを装置内に挿入してから鉛文字を除去回収することから、除去操作が行われる前に鉛文字が自然落下あるいは他の要因で外れた場合に、装置の各機構への不具合を引き起こすおそれがある。
【００１２】
本発明は、前記の課題に鑑みなされたものであり、例えば左手を撮影する場合に、右を示す鉛文字を貼り付けてしまうという間違いを簡単に防止することができ、撮影のトータル時間の短縮化、無駄な撮影の回避を実現することができる鉛文字板、放射線変換器、放射線画像撮影システム、鉛文字用ケース及び保管設備を提供することを目的とする。
【００１３】
また、本発明の他の目的は、蓄積性蛍光体パネルを有する放射線変換器に鉛文字が貼着されたまま画像読取装置に挿入してしまうという間違いを簡単に防止することができ、画像読取装置の故障誘発を回避することができる鉛文字板及び画像読取装置を提供することを目的とする。
【課題を解決するための手段】
【００１４】
第１の本発明に係る鉛文字板は、基材と、該基材に設けられ、鉛で文字を模った鉛文字とを有する鉛文字板において、前記基材の一部に無線通信手段を有することを特徴とする。
【００１５】
第２の本発明に係る放射線変換器は、筐体と、該筐体内に収容され、被写体を透過した放射線源からの放射線を検出し、放射線画像情報に変換する放射線変換パネルとを有し、前記筐体の表面に鉛文字板が取り付けられて使用される放射線変換器であって、
前記鉛文字板は、基材と、該基材に設けられ、鉛で文字を模った鉛文字とを有し、前記基材の一部に無線通信手段を有し、
前記筐体内に、前記鉛文字板の前記無線通信手段からの送信情報を受信する受信部を有することを特徴とする。
第２の本発明において、入力された少なくとも撮影部位情報と前記送信情報とを比較する比較部と、前記比較部での比較結果を報知する報知手段を有するようにしてもよい。この場合、前記報知手段は、前記筐体に表示部を有し、前記比較部での比較結果に対応した内容の表示を行う表示制御部を有するようにしてもよい。また、前記報知手段は、前記筐体に音声出力部を有し、前記比較部での比較結果に対応した内容を前記音声出力部を介して音声出力するようにしてもよい。
【００１６】
第３の本発明に係る放射線画像撮影システムは、筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルとを有する放射線画像撮影システムにおいて、
前記鉛文字板は、基材と、該基材に設けられ、鉛で文字を模った鉛文字とを有し、前記基材の一部に無線通信手段を有し、
前記放射線変換器は、
前記鉛文字板の前記無線通信手段からの送信情報を受信する受信部と、
入力された少なくとも撮影部位情報と前記送信情報とを比較する比較部とを有し、
前記クレードルは、
前記放射線変換器の前記比較部での比較結果を報知する報知手段を有することを特徴とする。
【００１７】
第４の本発明に係る放射線画像撮影システムは、筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルとを有する放射線画像撮影システムにおいて、
前記鉛文字板は、基材と、該基材に設けられ、鉛で文字を模った鉛文字とを有し、前記基材の一部に無線通信手段を有し、
前記放射線変換器は、
前記鉛文字板の前記無線通信手段からの送信情報を受信する受信部と、
少なくとも前記送信情報を送信する送受信部とを有し、
前記クレードルは、
前記放射線変換器から送信された前記送信情報と、入力された少なくとも撮影部位情報とを比較する比較部と、
前記比較部での比較結果を報知する報知手段を有することを特徴とする。
【００１８】
第５の本発明に係る放射線画像撮影システムは、筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置とを有する放射線画像撮影システムにおいて、
前記放射線変換器は、
前記鉛文字板の前記無線通信手段からの送信情報を受信する受信部と、
入力された少なくとも撮影部位情報と前記送信情報とを比較する比較部とを有し、
前記制御装置は、
前記放射線変換器の前記比較部での比較結果を報知する報知手段を有することを特徴とする。
【００１９】
第６の本発明に係る放射線画像撮影システムは、筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置とを有する放射線画像撮影システムにおいて、
前記放射線変換器は、
前記鉛文字板の前記無線通信手段からの送信情報を受信する受信部と、
少なくとも前記送信情報を送信する送受信部とを有し、
前記制御装置は、
前記放射線変換器から送信された前記送信情報と、入力された少なくとも撮影部位情報とを比較する比較部と、
前記比較部での比較結果を報知する報知手段を有することを特徴とする。
【００２０】
第７の本発明に係る鉛文字用ケースは、基材と、該基材に設けられ、鉛で文字を模った鉛文字とを有する１以上の鉛文字板を収容するためのケース本体を有する鉛文字用ケースにおいて、
前記鉛文字板は、前記基材の一部に無線通信手段を有し、
前記ケース本体は、前記鉛文字板の前記無線通信手段からの送信情報を受信する受信部を有することを特徴とする。
【００２１】
第８の本発明に係る保管設備は、基材と、該基材に設けられ、鉛で文字を模った鉛文字とを有する１以上の鉛文字板が収容された鉛文字用ケースが載置される載置台を有し、少なくとも前記鉛文字用ケースを保管するための保管設備において、
前記鉛文字板は、前記基材の一部に無線通信手段を有し、
前記載置台は、前記鉛文字板の前記無線通信手段からの送信情報を受信する受信部を有することを特徴とする。
【００２２】
第９の本発明に係る放射線画像撮影システムは、筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
入力された少なくとも撮影部位情報と前記送信情報とを比較する比較部とを有し、
前記クレードルは、
前記鉛文字用ケースの前記比較部での比較結果を報知する報知手段を有することを特徴とする。
【００２３】
第１０の本発明に係る放射線画像撮影システムは、筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
少なくとも前記送信情報を送信する送受信部とを有し、
前記クレードルは、
前記入力された少なくとも撮影部位情報と前記送信情報とを比較する比較部と、
前記鉛文字用ケースから送信された前記送信情報と、入力された少なくとも撮影部位情報とを比較する比較部と、
前記比較部での比較結果を報知する報知手段を有することを特徴とする。
【００２４】
第１１の本発明に係る放射線画像撮影システムは、筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
入力された少なくとも撮影部位情報と前記送信情報とを比較する比較部とを有し、
前記制御装置は、
前記鉛文字用ケースの前記比較部での比較結果を報知する報知手段を有することを特徴とする。
【００２５】
第１２の本発明に係る放射線画像撮影システムは、筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースとを有する放射線画像撮影システムにおいて、
前記鉛文字板は、基材と、該基材に設けられ、鉛で文字を模った鉛文字とを有し、前記基材の一部に無線通信手段を有し、
前記鉛文字用ケースは、
前記鉛文字板の前記無線通信手段からの送信情報を受信する受信部と、
少なくとも前記送信情報を送信する送受信部とを有し、
前記制御装置は、
前記入力された少なくとも撮影部位情報と前記送信情報とを比較する比較部と、
前記鉛文字用ケースから送信された前記送信情報と、入力された少なくとも撮影部位情報とを比較する比較部と、
前記比較部での比較結果を報知する報知手段を有することを特徴とする。
【００２６】
第１３の本発明に係る放射線画像撮影システムは、筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
入力された少なくとも撮影部位情報と前記送信情報とを比較する比較部とを有し、
前記クレードルは、
前記載置台の前記比較部での比較結果を報知する報知手段を有することを特徴とする。
【００２７】
第１４の本発明に係る放射線画像撮影システムは、筐体と、該筐体内に収容され、被写体を透過した放射線源からの放射線を検出し、放射線画像情報に変換する放射線変換パネルと、バッテリとを有し、前記筐体の表面に鉛文字板が取り付けられて使用される放射線変換器と、
前記放射線変換器が装着されることで、少なくとも前記バッテリに対して充電を行うクレードルと、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
少なくとも前記送信情報を送信する送受信部とを有し、
前記クレードルは、
前記入力された少なくとも撮影部位情報と前記送信情報とを比較する比較部と、
前記載置台から送信された前記送信情報と、入力された少なくとも撮影部位情報とを比較する比較部と、
前記比較部での比較結果を報知する報知手段を有することを特徴とする。
【００２８】
第１５の本発明に係る放射線画像撮影システムは、筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
入力された少なくとも撮影部位情報と前記送信情報とを比較する比較部とを有し、
前記制御装置は、
前記載置台の前記比較部での比較結果を報知する報知手段を有することを特徴とする。
【００２９】
第１６の本発明に係る放射線画像撮影システムは、筐体と、該筐体内に収容され、被写体を透過した放射線を検出し、放射線画像情報に変換する放射線変換パネルとを有し、前記筐体の表面に鉛文字板が取り付けられて使用される放射線変換器と、
前記被写体に向けて放射線を放射する撮影装置と、
少なくとも表示部及び操作部を有し、且つ、前記放射線変換器と情報のやり取りを行って少なくとも前記撮影装置を制御する制御装置と、
１以上の前記鉛文字板を収容するための鉛文字用ケースが載置される載置台とを有する放射線画像撮影システムにおいて、
前記鉛文字板は、基材と、該基材に設けられ、鉛で文字を模った鉛文字とを有し、前記基材の一部に無線通信手段を有し、
前記載置台は、
前記鉛文字板の前記無線通信手段からの送信情報を受信する受信部と、
少なくとも前記送信情報を送信する送受信部とを有し、
前記制御装置は、
前記入力された少なくとも撮影部位情報と前記送信情報とを比較する比較部と、
前記載置台から送信された前記送信情報と、入力された少なくとも撮影部位情報とを比較する比較部と、
前記比較部での比較結果を報知する報知手段を有することを特徴とする。
【００３０】
第１７の本発明に係る画像読取装置は、筐体と、該筐体内に収容され、被写体を透過した放射線源からの放射線を検出し、放射線画像情報に変換する放射線変換パネルとを有し、前記筐体の表面に鉛文字板が取り付けられて使用される放射線変換器が装填される装填部と、
放射線画像情報が記録された放射線変換パネルを搬送する搬送機構と、
前記放射線変換パネルに記録された前記放射線画像情報を、前記放射線変換パネルの搬送速度に同期して読み取る画像読取部と、
少なくとも前記搬送機構と前記画像読取部を制御する制御部とを有する放射線画像読取装置において、
前記鉛文字板は、基材と、該基材に設けられ、鉛で文字を模った鉛文字とを有し、前記基材の一部に無線通信手段を有し、
前記装填部に、前記鉛文字板の前記無線通信手段からの送信情報を受信する受信部を有することを特徴とする。
【発明の効果】
【００３１】
本発明によれば、以下の効果を奏する。
【００３２】
（１）例えば左手を撮影する場合に、右を示す鉛文字を貼り付けてしまうという間違いを簡単に防止することができ、撮影のトータル時間の短縮化、無駄な撮影の回避を実現することができる。
【００３３】
（２）蓄積性蛍光体パネルを有する放射線変換器に鉛文字が貼着されたまま画像読取装置に挿入してしまうという間違いを簡単に防止することができ、画像読取装置の故障誘発を回避することができる。
【発明を実施するための最良の形態】
【００３４】
以下、本発明に係る鉛文字板、放射線変換器、放射線画像撮影システム、鉛文字用ケース、保管設備及び画像読取装置の実施の形態例を図１〜図１８を参照しながら説明する。以下の内容において、「報知」とは正常であることを示す報告と、異常であることを示す警告を含む。
【００３５】
先ず、本実施の形態に係る鉛文字板３００は、図１に示すように、基材３０２と、該基材３０２に設けられ、鉛で文字を模った鉛文字３０４とを有する。特に、本実施の形態においては、基材３０２の一部に無線ＩＣタグ３０６（ＲＦＩＤタグあるいは電子タグ等とも称される：無線通信手段）を有する。この無線ＩＣタグ３０６は、図２Ａに示すように、基材３０２の裏面に貼着するようにしてもよいし、図２Ｂに示すように、基材３０２に埋め込むようにしてもよい。
【００３６】
鉛文字３０４は、右を示す「Ｒ」や左を示す「Ｌ」等の文字型で構成されている。従って、無線ＩＣタグ３０６から送信される情報（タグ情報）は、少なくとも文字型が示す「Ｒ」や「Ｌ」を示す文字データである。
【００３７】
鉛文字板３００に設けられた無線ＩＣタグ３０６は、パッシブタグ、アクティブタグのどちらでも使用可能であるが、鉛文字板３００の小型化、軽量化を考慮した場合、パッシブタグが好ましい。
【００３８】
そして、第１の実施の形態に係る放射線画像撮影システム（以下、第１放射線画像撮影システム１０Ａと記す）は、図３に示すように、撮影条件に従った線量からなる放射線Ｘを患者２２（被写体）の例えば右手２２ａに照射する放射線源２４と、放射線源２４を制御する線源制御装置２６と、右手２２ａを透過した放射線Ｘを検出する放射線検出器（放射線変換パネル）を内蔵した放射線変換器（以下、電子カセッテ２８と記す）と、電子カセッテ２８の充電処理を行うクレードル３０と、放射線源２４の撮影スイッチを有し、撮影作業を含む状態確認のために技師が所持する携帯情報端末３２と、線源制御装置２６、電子カセッテ２８、クレードル３０及び携帯情報端末３２を制御すると共に、必要な情報の授受を行うコンソール３４（制御装置）とを備える。
【００３９】
放射線源２４、線源制御装置２６及びクレードル３０は、撮影室３６内に配置され、コンソール３４は、撮影室３６外の操作室３８に配置される。また、線源制御装置２６、電子カセッテ２８、クレードル３０、携帯情報端末３２及びコンソール３４の間では、無線通信による必要な情報の送受信が行われる。
【００４０】
電子カセッテ２８は、図４に示すように、放射線Ｘを透過させる材料からなる筐体４０を備える。筐体４０の内部には、放射線Ｘが照射される照射面側から、患者２２による放射線Ｘの散乱線を除去するグリッド４２、患者２２を透過した放射線Ｘを検出する放射線検出器４４（固体検出器）、及び、放射線Ｘのバック散乱線を吸収する鉛板４６が順に配設される。
【００４１】
また、筐体４０の内部には、図４及び図５に示すように、電子カセッテ２８の電源であるバッテリ４８と、放射線検出器４４を駆動制御するカセッテ制御部５２と、放射線検出器４４によって検出した放射線Ｘの画像情報を含む信号を、クレードル３０、携帯情報端末３２及びコンソール３４との間で送受信する送受信部５４とが収容される。なお、カセッテ制御部５２及び送受信部５４には、放射線Ｘが照射されることによる損傷を回避するため、筐体４０の照射面側に鉛板等を配設しておくことが好ましい。
【００４２】
また、図４に示すように、筐体４０の側面には、液晶画面やＬＥＤ等の表示部６２が設けられている。表示部６２が液晶画面であれば、少なくとも鉛文字が間違っている旨のエラーメッセージ等が表示されるようになっている。表示部６２がＬＥＤであれば、鉛文字が間違っていることを示すための例えば赤色のＬＥＤが設置される。もちろん、鉛文字が正しいことを示すための緑色のＬＥＤを設置するようにしてもよい。なお、図４には、表示部６２として液晶画面を設置した例を示している。
【００４３】
放射線検出器４４は、図５に示すように、放射線Ｘを感知して電荷を発生させるアモルファスセレン（ａ−Ｓｅ）等の物質からなる光電変換層６４を行列状の薄膜トランジスタ（ＴＦＴ：Ｔｈｉｎ  Ｆｉｌｍ  Ｔｒａｎｓｉｓｔｏｒ）６６のアレイの上に配置した構造を有し、発生した電荷を蓄積容量６８に蓄積した後、各行毎にＴＦＴ６６を順次オンにして、電荷を画像信号として読み出す。図５では、光電変換層６４及び蓄積容量６８からなる１つの画素７０と１つのＴＦＴ６６との接続関係のみを示し、その他の画素７０の構成については省略している。なお、アモルファスセレンは、高温になると構造が変化して機能が低下してしまうため、所定の温度範囲内で使用する必要がある。従って、電子カセッテ２８内に放射線検出器４４を冷却する手段を配設することが好ましい。
【００４４】
各画素７０に接続されるＴＦＴ６６には、行方向と平行に延びるゲート線７２と、列方向と平行に延びる信号線７４とが接続される。各ゲート線７２は、ライン走査駆動部７６に接続され、各信号線７４は、読取回路を構成するマルチプレクサ７８に接続される。
【００４５】
ゲート線７２には、行方向に配列されたＴＦＴ６６をオンオフ制御する制御信号Ｖｏｎ、Ｖｏｆｆがライン走査駆動部７６から供給される。この場合、ライン走査駆動部７６は、ゲート線７２を切り替える複数のスイッチＳＷ１と、スイッチＳＷ１の１つを選択する選択信号を出力する第１アドレスデコーダ８０とを備える。第１アドレスデコーダ８０には、カセッテ制御部５２からアドレス信号が供給される。
【００４６】
また、信号線７４には、列方向に配列されたＴＦＴ６６を介して各画素７０の蓄積容量６８に保持されている電荷が流出する。この電荷は、増幅器８２によって増幅される。増幅器８２には、サンプルホールド回路８４を介してマルチプレクサ７８が接続される。マルチプレクサ７８は、信号線７４を切り替える複数のスイッチＳＷ２と、スイッチＳＷ２の１つを選択する選択信号を出力する第２アドレスデコーダ８６とを備える。第２アドレスデコーダ８６には、カセッテ制御部５２からアドレス信号が供給される。マルチプレクサ７８には、Ａ／Ｄ変換器８８が接続され、Ａ／Ｄ変換器８８によってデジタル信号に変換された放射線画像情報がカセッテ制御部５２に供給される。
【００４７】
また、電子カセッテ２８の筐体４０内には、放射線検出器４４によって検出した放射線画像情報を記憶する画像メモリ８９が設置されている。放射線画像情報は、送受信部５４を介してクレードル３０、携帯情報端末３２及びコンソール３４に送信される。なお、放射線画像情報は、必要に応じて、データ圧縮された状態で送信される。
【００４８】
図６は、第１放射線画像撮影システム１０Ａの構成ブロック図である。コンソール３４には、病院内の放射線科において取り扱われる放射線画像情報やその他の情報を統括的に管理する放射線科情報システム（ＲＩＳ）９０が接続され、また、ＲＩＳ９０には、病院内の医事情報を統括的に管理する医事情報システム（ＨＩＳ）９２が接続される。
【００４９】
そして、電子カセッテ２８は、鉛文字板３００の無線ＩＣタグ３０６から送信される送信情報（タグ情報Ｓｔ）を受信するタグ情報受信部９４を有し、電子カセッテ２８のカセッテ制御部５２は、図７に示すように、撮影可能判別部９６を有する。
【００５０】
撮影可能判別部９６は、タグ情報受信部９４にて受信されたタグ情報Ｓｔと、送受信部５４を通じて受信された少なくとも撮影部位情報とを比較する比較部９８を有する。
【００５１】
鉛文字板３００の無線ＩＣタグ３０６からタグ情報受信部９４へのタグ情報Ｓｔの送信は、電磁誘導方式や電波方式を好ましく採用することができる。
【００５２】
そして、比較部９８においてタグ情報Ｓｔが撮影部位情報と対応していると判別された場合は、撮影可能判別部９６から許可信号Ｓｃが出力され、比較部９８においてタグ情報Ｓｔが撮影部位情報と対応していないと判別された場合は、撮影可能判別部９６から不許可信号Ｓｄが出力される。
【００５３】
カセッテ制御部５２は、さらに、警告信号出力部１０４と、禁止信号出力部１０６と、表示制御部１０８とを有する。
【００５４】
警告信号出力部１０４は、撮影可能判別部９６からの不許可信号Ｓｄの出力に基づいて、警告を発するための警告信号Ｓｅを出力する。禁止信号出力部１０６は、不許可信号Ｓｄの出力に基づいて、放射線源２４からの放射線Ｘの出力を禁止するための曝射禁止信号Ｓｆを出力する。
【００５５】
上述した許可信号Ｓｃ、警告信号Ｓｅ及び曝射禁止信号Ｓｆは、送受信部５４を通じて外部（例えば携帯情報端末３２、クレードル３０、コンソール３４等）にも送信されるようになっている。
【００５６】
表示制御部１０８は、撮影可能判別部９６からの許可信号Ｓｃの出力に基づいて、筐体４０の側面に設置された表示部６２に、鉛文字が正しい旨のメッセージやマーク（○マーク等）を表示するように制御し、警告信号出力部１０４からの警告信号Ｓｅの出力に基づいて、表示部６２に、鉛文字が違っている旨のメッセージやマーク（×マーク等）を表示するように制御する。なお、表示部６２としてＬＥＤを設置している場合は、撮影可能判別部９６からの許可信号Ｓｃの出力に基づいて、例えば緑色のＬＥＤのみを点灯するように制御し、警告信号出力部１０４からの警告信号Ｓｅの出力に基づいて、赤色のＬＥＤのみを点灯するように制御する。つまり、表示部６２及び表示制御部１０８は、鉛文字が間違っているか、正しいかを報知する報知手段として機能する。
【００５７】
上述の例では、鉛文字板３００を電子カセッテ２８に設置した場合に、電子カセッテ２８の表示部６２から鉛文字に関する情報を報知するようにしたが、電子カセッテ２８を振動させて報知させるようにしてもよい。例えば、警告信号出力部１０４からの警告信号Ｓｅの出力に基づいて、長い時間（最大１分程度）振動させて、鉛文字が間違っていることを注意喚起させるようにしてもよい。撮影可能判別部９６からの許可信号Ｓｃが出力された場合は、短い時間（２秒〜３秒）だけ振動させて鉛文字が正しいことを知らせるようにしてもよい。この振動発生源としては、電気信号の特性（電圧レベル、電流レベル、周波数等）に応じて様々な振動パターンを発生することができる圧電スピーカが好ましく採用することができる。また、圧電スピーカを用いた場合、振動と共に音声を出力させるようにしてもよい。音声出力の場合は、撮影可能判別部９６からの許可信号Ｓｃの出力に基づいて、例えば「ＯＫ」という単語の短い音声を出力するように制御し、警告信号出力部１０４からの警告信号Ｓｅの出力に基づいて、「ＮＯ  ＧＯ」という比較的単語の長い音声を出力するように制御する。
【００５８】
一方、図６に示すように、クレードル３０の第１制御部１１０は、電子カセッテ２８のバッテリ４８の充電処理を行う充電処理部１１２を制御する一方、第１送受信部１１４を介してコンソール３４から受信した情報を第１表示部１１６に表示するとともに、必要に応じて第１スピーカ１１８を鳴動させる。なお、第１表示部１１６には、電子カセッテ２８によって取得した放射線画像情報をプレビュー画像として表示させるようにしてもよい。
【００５９】
また、クレードル３０の第１制御部１１０は、図７に示すように、第１表示制御部１２０と第１音声出力制御部１２２とを有する。第１表示制御部１２０は、電子カセッテ２８から出力された許可信号Ｓｃの入力に基づいて、第１表示部１１６に、鉛文字が正しい旨のメッセージやマーク（○マーク等）を表示するように制御し、警告信号Ｓｅの入力に基づいて、鉛文字が違っている旨のメッセージやマーク（×マーク等）を表示するように制御する。第１音声出力制御部１２２は、許可信号Ｓｃの入力に基づいて、第１スピーカ１１８を介して鉛文字が正しい旨のメッセージを音声出力するように制御し、警告信号Ｓｅの入力に基づいて、第１スピーカ１１８を介して警告を音声出力するように制御する。つまり、第１表示部１１６及び第１表示制御部１２０、並びに第１スピーカ１１８及び第１音声出力制御部１２２は、鉛文字が間違っているか、正しいかを報知する報知手段として機能する。
【００６０】
図６に示すように、携帯情報端末３２の第２制御部１２４は、放射線源２４を駆動する撮影スイッチ１２６によって生成された撮影信号を第２送受信部１２８を介して線源制御装置２６に供給する。また、第２制御部１２４は、第２送受信部１２８を介してコンソール３４から受信した情報を第２表示部１３０に表示すると共に、必要に応じて第２スピーカ１３２を鳴動させる。第２表示部１３０には、電子カセッテ２８によって取得した放射線画像情報をプレビュー画像として表示させるようにしてもよい。なお、携帯情報端末３２は、必要な情報を設定することのできる操作部１３４を有する。
【００６１】
携帯情報端末３２の第２制御部１２４は、図７に示すように、第２表示制御部１３６と第２音声出力制御部１３８と撮影スイッチ制御部１４０とを有する。第２表示制御部１３６は、電子カセッテ２８から出力された許可信号Ｓｃの入力に基づいて、第２表示部１３０に、鉛文字が正しい旨のメッセージやマーク（○マーク等）を表示するように制御し、警告信号Ｓｅの入力に基づいて、鉛文字が違っている旨のメッセージやマーク（×マーク等）を表示するように制御する。第２音声出力制御部１３８は、許可信号Ｓｃの入力に基づいて、第２スピーカ１３２を介して鉛文字が正しい旨のメッセージを音声出力するように制御し、警告信号Ｓｅの入力に基づいて、第２スピーカ１３２を介して警告を音声出力するように制御する。つまり、第２表示部１３０及び第２表示制御部１３６、並びに第２スピーカ１３２及び第２音声出力制御部１３８は、鉛文字が間違っているか、正しいかを報知する報知手段として機能する。一方、撮影スイッチ制御部１４０は、電子カセッテ２８から出力された曝射禁止信号Ｓｆの入力に基づいて、撮影スイッチ１２６の操作を一時的に、例えば次の許可信号Ｓｃの到来時まで無効にするように制御する。
【００６２】
図６に示すように、コンソール３４は、第３制御部１４２と、線源制御装置２６、電子カセッテ２８、クレードル３０及び携帯情報端末３２に対して、必要な情報を無線通信により送受信する第３送受信部１４４と、患者情報を設定する患者情報設定部１４６と、患者２２の撮影部位を撮影メニューから選択して設定する撮影メニュー設定部１４７と、線源制御装置２６による撮影に必要な撮影条件を設定する撮影条件設定部１４８と、電子カセッテ２８から送信された放射線画像情報に対する画像処理を行う画像処理部１５０と、処理した放射線画像情報を記憶する画像メモリ１５２と、放射線画像情報や患者情報、撮影メニュー等を表示する第３表示部１５４と、必要に応じた警報を鳴動させる第３スピーカ１５６とを備える。
【００６３】
なお、患者情報とは、患者２２の氏名、性別、患者ＩＤ番号等、患者２２を特定するための情報である。撮影メニューは、患者２２の撮影部位を選択するためのメニューであり、撮影部位としては、例えば、患者２２の頭部、胸部、四肢等を上げることができる。撮影条件とは、患者２２の撮影部位に対して、適切な線量からなる放射線Ｘを照射するための管電圧、管電流、照射時間等を決定するための条件である。患者情報、撮影メニュー及び撮影条件を含む撮影のオーダリング情報は、コンソール３４で直接設定し、あるいは、ＲＩＳ９０を介してコンソール３４に外部から供給することができる。
【００６４】
また、コンソール３４の第３制御部１４２は、図７に示すように、第３表示制御部１５８と第３音声出力制御部１６０と無効信号出力部１６２とを有する。第３表示制御部１５８は、電子カセッテ２８から出力された許可信号Ｓｃの入力に基づいて、第３表示部１５４に、鉛文字が正しい旨のメッセージやマーク（○マーク等）を表示するように制御し、警告信号Ｓｅの入力に基づいて、鉛文字が違っている旨のメッセージやマーク（×マーク等）を表示するように制御する。第３音声出力制御部１６０は、許可信号Ｓｃの入力に基づいて、第３スピーカ１５６を介して鉛文字が正しい旨のメッセージを音声出力するように制御し、警告信号Ｓｅの入力に基づいて、第３スピーカ１５６を介して警告を音声出力するように制御する。つまり、第３表示部１５４及び第３表示制御部１５８、並びに第３スピーカ１５６及び第３音声出力制御部１６０は、鉛文字が間違っているか、正しいかを報知する報知手段として機能する。一方、無効信号出力部１６２は、電子カセッテ２８から出力された曝射禁止信号Ｓｆの入力に基づいて、線源制御装置２６に無効信号Ｓｇを出力する。この無効信号Ｓｇが線源制御装置２６に入力されることによって、線源制御装置２６に対する携帯情報端末３２からの入力割り込みが一時的に禁止される。
【００６５】
第１放射線画像撮影システム１０Ａは、基本的には以上のように構成されるものであり、次にその動作について説明する。
【００６６】
患者２２の放射線画像を撮影する際、コンソール３４の患者情報設定部１４６を用いて当該患者２２の患者情報を設定するとともに、撮影条件設定部１４８を用いて必要な撮影条件を設定する。また、撮影メニュー設定部１４７を用いて、第３表示部１５４に表示させた撮影メニューから所望の撮影部位、例えば、胸部、頭部、四肢等を選択して設定する。
【００６７】
設定された患者情報、撮影条件及び撮影部位は、技師が所持する携帯情報端末３２に送信され、その第２表示部１３０に表示される。この場合、技師は、携帯情報端末３２の第２表示部１３０に表示された患者情報、撮影条件及び撮影部位を確認して、所望の撮影準備を行うことができる。
【００６８】
従って、電子カセッテ２８を使用して例えば右手２２ａや右足等の放射線撮影を行う場合、コンソール３４から電子カセッテ２８に対して患者情報、撮影条件、撮影部位等の情報が送信され、これらの情報は電子カセッテ２８の送受信部５４を介して電子カセッテ２８に確保される（データメモリ等に記録される）。
【００６９】
続いて、技師は、撮影メニューから選択した患者２２の所望の撮影部位（例えば右手２２ａ）に電子カセッテ２８を設置すると共に、鉛文字板３００も一緒に撮影するべく、鉛文字板３００を電子カセッテ２８の表面に設置する。鉛文字板３００の無線ＩＣタグ３０６からは電子カセッテ２８に向かってタグ情報Ｓｔが送信され、該タグ情報Ｓｔは、電子カセッテ２８のタグ情報受信部９４において受信される。
【００７０】
タグ情報受信部９４にて受信されたタグ情報Ｓｔは、比較部９８において撮影部位情報と比較される。比較部９８において、タグ情報Ｓｔと撮影部位情報とが対応していると判別された場合（撮影部位情報が例えば「右」であり、鉛文字板３００の文字も「右」を示す場合）、撮影可能判別部９６から許可信号Ｓｃが出力される。
【００７１】
反対に、比較部９８において、タグ情報Ｓｔと撮影部位情報とが対応していないと判別された場合（撮影部位情報が例えば「右」であり、鉛文字板３００の文字が「左」を示す場合）、撮影可能判別部９６から不許可信号Ｓｄが出力される。この場合、カセッテ制御部５２の警告信号出力部１０４から警告信号Ｓｅが出力され、禁止信号出力部１０６から曝射禁止信号Ｓｆが出力される。許可信号Ｓｃ、又は、警告信号Ｓｅ及び曝射禁止信号Ｓｆは、送受信部５４を通じて携帯情報端末３２、クレードル３０、コンソール３４に送信される。
【００７２】
併せて、カセッテ制御部５２の表示制御部１０８によって、筐体４０の側面に設置された表示部６２に、鉛文字が正しいか、あるいは間違っているかを示すメッセージやマークあるいはＬＥＤが表示される。
【００７３】
従って、技師は、鉛文字板３００を電子カセッテ２８の表面に設置した段階で、筐体４０の側面の表示部６２を見ることによって、正しい鉛文字板３００を設置したかどうかを容易に確認できる。もし、鉛文字が間違っているのであれば、正しい鉛文字板３００に迅速に取り替えることができる。なお、電子カセッテ２８に圧電スピーカ等の振動発生源を設置した場合は、その振動の態様や音声出力の内容によって正しい鉛文字板を設置したかどうかを容易に確認できる。
【００７４】
上述したように、電子カセッテ２８から出力された許可信号Ｓｃ、又は、警告信号Ｓｅ及び曝射禁止信号Ｓｆは携帯情報端末３２に入力されることになる。この場合、携帯情報端末３２に設けられた第２表示部１３０に、鉛文字が正しいか、あるいは間違っているかを示すメッセージやマークが表示され、第２スピーカ１３２を介して鉛文字が正しいか、あるいは間違っているかを示すメッセージが音声出力されることになる。さらに、曝射禁止信号Ｓｆが入力されることによって、撮影スイッチ１２６の操作が一時的に無効となる。携帯情報端末３２を操作する技師（電子カセッテ２８を設置する技師と異なる技師でもよい）が、第２表示部１３０に表示されたメッセージや音声出力された警告を確認することによって、撮影スイッチ１２６の操作を止めることになる。もし、間違って撮影スイッチ１２６を操作したとしても、一時的に無効となっているため、Ｘ線は照射されない。
【００７５】
同様に、電子カセッテ２８から出力された許可信号Ｓｃ、又は警告信号Ｓｅはクレードル３０にも入力されることになる。この場合、クレードル３０に設けられた第１表示部１１６にも、鉛文字が正しいか、あるいは間違っているかを示すメッセージやマークが表示され、第１スピーカ１１８を介して鉛文字が正しいか、あるいは間違っているかを示すメッセージが音声出力されることになる。これにより、クレードル３０の近くにいる技師も、正しい鉛文字板を設置したかどうかを容易に認識することができる。
【００７６】
また、電子カセッテ２８から出力された許可信号Ｓｃ、又は警告信号Ｓｅ及び曝射禁止信号Ｓｆはコンソール３４にも入力されることになる。この場合、コンソール３４の第３表示部１５４に、鉛文字が正しいか、あるいは間違っているかを示すメッセージやマークが表示され、第３スピーカ１５６を介して鉛文字が正しいか、あるいは間違っているかを示すメッセージが音声出力されることになる。さらに、曝射禁止信号Ｓｆが入力されることによって、線源制御装置２６に無効信号Ｓｇを出力する。この無効信号Ｓｇが線源制御装置２６に入力されることによって、線源制御装置２６に対する携帯情報端末３２からの入力割り込みが一時的に禁止される。これにより、確実に、Ｘ線の照射を一時的に停止させることができる。これは、曝射禁止信号Ｓｆを携帯情報端末３２に送信しない仕様において、電子カセッテ２８が撮影可能モードに移行できない場合に有効となる。
【００７７】
そして、正しい鉛文字板３００を設置した場合、あるいは正しい鉛文字板３００に取り替えた場合は、該電子カセッテ２８から許可信号Ｓｃが出力されることから、該電子カセッテ２８に対する通常の操作が行われる。
【００７８】
すなわち、技師は、携帯情報端末３２の撮影スイッチ１２６を操作し、放射線画像の撮影を行う。撮影スイッチ１２６が操作されると、携帯情報端末３２の第２制御部１２４は、第２送受信部１２８を介して撮影開始信号を線源制御装置２６に送信する。撮影開始信号を受信した線源制御装置２６は、予めコンソール３４から供給されている撮影条件に従って放射線源２４を制御し、放射線Ｘを患者２２の右手２２ａ及び鉛文字板３００に照射する。
【００７９】
患者２２の右手２２ａ及び鉛文字板３００を透過した放射線Ｘは、電子カセッテ２８のグリッド４２によって散乱線が除去された後、放射線検出器４４に照射され、放射線検出器４４を構成する各画素７０の光電変換層６４によって電気信号に変換され、蓄積容量６８に電荷として保持される（図５参照）。次いで、各蓄積容量６８に保持された患者２２の放射線画像情報である電荷情報は、カセッテ制御部５２からライン走査駆動部７６及びマルチプレクサ７８に供給されるアドレス信号に従って読み出される。
【００８０】
すなわち、ライン走査駆動部７６の第１アドレスデコーダ８０は、カセッテ制御部５２から供給されるアドレス信号に従って選択信号を出力してスイッチＳＷ１の１つを選択し、対応するゲート線７２に接続されたＴＦＴ６６のゲートに制御信号Ｖｏｎを供給する。一方、マルチプレクサ７８の第２アドレスデコーダ８６は、カセッテ制御部５２から供給されるアドレス信号に従って選択信号を出力してスイッチＳＷ２を順次切り替え、ライン走査駆動部７６によって選択されたゲート線７２に接続された各画素７０の蓄積容量６８に保持された電荷情報である放射線画像情報を信号線７４を介して順次読み出す。
【００８１】
放射線検出器４４の選択されたゲート線７２に接続された各画素７０の蓄積容量６８から読み出された放射線画像情報は、各増幅器８２によって増幅された後、各サンプルホールド回路８４によってサンプリングされ、マルチプレクサ７８を介してＡ／Ｄ変換器８８に供給され、デジタル信号に変換される。デジタル信号に変換された放射線画像情報は、カセッテ制御部５２の画像メモリ８９に一旦記憶される。
【００８２】
同様にして、ライン走査駆動部７６の第１アドレスデコーダ８０は、カセッテ制御部５２から供給されるアドレス信号に従ってスイッチＳＷ１を順次切り替え、各ゲート線７２に接続されている各画素７０の蓄積容量６８に保持された電荷情報である放射線画像情報を信号線７４を介して読み出し、マルチプレクサ７８及びＡ／Ｄ変換器８８を介してカセッテ制御部５２の画像メモリ８９に記憶させる。
【００８３】
画像メモリ８９に記憶された放射線画像情報は、送受信部５４を介して無線通信によりコンソール３４に送信され、画像処理部１５０により画像処理が施された後、患者情報と関連付けられた状態で画像メモリ１５２に記憶される。次いで、画像メモリ１５２に記憶された放射線画像情報は、第３表示部１５４に表示される。
【００８４】
一方、電子カセッテ２８の画像メモリ８９に記憶された放射線画像情報は、カセッテ制御部５２によってデータ圧縮処理された後、クレードル３０又は携帯情報端末３２に送信され、圧縮画像として第１表示部１１６又は第２表示部１３０に表示させることができる。技師は、第１表示部１１６又は第２表示部１３０に表示された圧縮画像を確認し、再撮影の要否等の判断を行うことができる。なお、放射線画像情報は、データ圧縮されることで情報量が削減されているため、速やかに表示することができる。
【００８５】
放射線画像情報の撮影処理が行われた電子カセッテ２８は、バッテリ４８が消耗する。この場合、電子カセッテ２８は、クレードル３０に装着することで充電処理が行われる。
【００８６】
このように、第１放射線画像撮影システム１０Ａにおいては、例えば右手２２ａを撮影する場合に、左を示す鉛文字板３００を貼り付けてしまうという間違いを簡単に防止することができ、撮影のトータル時間の短縮化、無駄な撮影の回避を実現することができる。
【００８７】
特に、間違った鉛文字板３００を設置した場合に、電子カセッテ２８の表示部６２、クレードル３０の第１表示部１１６、携帯情報端末３２の第２表示部１３０、コンソール３４の第３表示部１５４を通じて、鉛文字が間違っている旨が表示され、しかも、クレードル３０の第１スピーカ１１８、携帯情報端末３２の第２スピーカ１３２、コンソール３４の第３スピーカ１５６を通じて、鉛文字が間違っている旨が音声出力されることから、鉛文字が間違っていることを撮影室３６全体に知らせることができ、鉛文字に対する注意喚起が徹底されることとなる。これは、無駄な放射線の曝射を事前に回避することができることにつながる。
【００８８】
しかも、間違った鉛文字板３００が設置されたにも拘わらず、撮影スイッチ１２６が操作されたとしても、曝射を一時的に禁止することができるため、無駄な曝射を回避することができる。これは、患者への曝射に対する配慮も実現できると共に、電子カセッテ２８の使用寿命も長くすることができる。曝射が一時的に停止されたとしても、技師が正しい鉛文字板３００に取り替えるだけの時間で済むため、患者への精神的負担をなくすことが可能となる。
【００８９】
次に、第１放射線画像撮影システム１０Ａのいくつかの変形例について説明する。
【００９０】
先ず、第１変形例に係る放射線画像撮影システム１０Ａａは、上述した第１放射線画像撮影システム１０Ａとほぼ同様の構成を有するが、図８に示すように、撮影可能判別部９６、警告信号出力部１０４及び禁止信号出力部１０６が電子カセッテ２８のカセッテ制御部５２ではなく、クレードル３０の第１制御部１１０に組み込まれている点で異なる。
【００９１】
従って、鉛文字板３００の無線ＩＣタグ３０６から送信されたタグ情報Ｓｔは、電子カセッテ２８のタグ情報受信部９４で受信され、カセッテ制御部５２及び送受信部５４を介してクレードル３０に送信されることになる。
【００９２】
この場合、クレードル３０における撮影可能判別部９６の比較部９８において、第１送受信部１１４を介して受信されたタグ情報Ｓｔと、同じく第１送受信部１１４を通じて受信された少なくとも撮影部位情報とが比較される。
【００９３】
そして、比較部９８においてタグ情報Ｓｔが撮影部位情報と対応していると判別された場合は、撮影可能判別部９６から許可信号Ｓｃが出力され、比較部９８においてタグ情報Ｓｔが撮影部位情報と対応していないと判別された場合は、撮影可能判別部９６から不許可信号Ｓｄが出力される。
【００９４】
警告信号出力部１０４、禁止信号出力部１０６、第１表示制御部１２０及び第１音声出力制御部１２２での動作は、上述した第１放射線画像撮影システム１０Ａと同様であるため、ここではその詳細説明を省略する。
【００９５】
撮影可能判別部９６からの許可信号Ｓｃ、又は警告信号出力部１０４からの警告信号Ｓｅ及び禁止信号出力部１０６からの曝射禁止信号Ｓｆは、第１送受信部１１４を通じて携帯情報端末３２及びコンソール３４に送信される。
【００９６】
次に、第２変形例に係る放射線画像撮影システム１０Ａｂは、第１放射線画像撮影システム１０Ａとほぼ同様の構成を有するが、図９に示すように、撮影可能判別部９６及び警告信号出力部１０４が電子カセッテ２８のカセッテ制御部５２ではなく、携帯情報端末３２の第２制御部１２４に組み込まれている点で異なる。
【００９７】
従って、鉛文字板３００の無線ＩＣタグ３０６から送信されたタグ情報Ｓｔは、電子カセッテ２８のタグ情報受信部９４で受信され、カセッテ制御部５２及び送受信部５４を介して携帯情報端末３２に送信されることになる。
【００９８】
この場合、携帯情報端末３２における撮影可能判別部９６の比較部９８において、第２送受信部１２８を介して受信されたタグ情報Ｓｔと、同じく第２送受信部１２８を通じて受信された少なくとも撮影部位情報とが比較される。
【００９９】
そして、比較部９８においてタグ情報Ｓｔが撮影部位情報と対応していると判別された場合は、撮影可能判別部９６から許可信号Ｓｃが出力され、比較部９８においてタグ情報Ｓｔが撮影部位情報と対応していないと判別された場合は、撮影可能判別部９６から不許可信号Ｓｄが出力される。
【０１００】
警告信号出力部１０４、第２表示制御部１３６及び第２音声出力制御部１３８での動作は、上述した第１放射線画像撮影システム１０Ａと同様であるため、ここではその詳細説明を省略する。
【０１０１】
撮影スイッチ制御部１４０は、警告信号出力部１０４から出力された警告信号Ｓｅの入力に基づいて、撮影スイッチ１２６の操作を一時的に、例えば次の許可信号Ｓｃの到来時まで無効にするように制御する。
【０１０２】
撮影可能判別部９６からの許可信号Ｓｃ、又は警告信号出力部１０４からの警告信号Ｓｅは、第２送受信部１２８を通じてクレードル３０及びコンソール３４に送信される。なお、コンソール３４の無効信号出力部１６２は、携帯情報端末３２から出力された警告信号Ｓｅの入力に基づいて、線源制御装置２６に無効信号Ｓｇを出力する。
【０１０３】
次に、第３変形例に係る放射線画像撮影システム１０Ａｃは、第１放射線画像撮影システム１０Ａとほぼ同様の構成を有するが、図１０に示すように、撮影可能判別部９６、警告信号出力部１０４及び禁止信号出力部１０６が電子カセッテ２８のカセッテ制御部５２ではなく、コンソール３４の第３制御部１４２に組み込まれている点で異なる。
【０１０４】
従って、鉛文字板３００の無線ＩＣタグ３０６から送信されたタグ情報Ｓｔは、電子カセッテ２８のタグ情報受信部９４で受信され、カセッテ制御部５２及び送受信部５４を介してコンソール３４に送信されることになる。
【０１０５】
この場合、コンソール３４における撮影可能判別部９６の比較部９８において、第３送受信部１４４を介して受信されたタグ情報Ｓｔと、同じく第３送受信部１４４を通じて受信された少なくとも撮影部位情報とが比較される。
【０１０６】
そして、比較部９８においてタグ情報Ｓｔが撮影部位情報と対応していると判別された場合は、撮影可能判別部９６から許可信号Ｓｃが出力され、比較部９８においてタグ情報Ｓｔが撮影部位情報と対応していないと判別された場合は、撮影可能判別部９６から不許可信号Ｓｄが出力される。
【０１０７】
警告信号出力部１０４、禁止信号出力部１０６、第３表示制御部１５８及び第３音声出力制御部での動作は、上述した第１放射線画像撮影システム１０Ａと同様であるため、ここではその詳細説明を省略する。なお、無効信号出力部１６２は、警告信号出力部１０４から出力された警告信号Ｓｅの入力に基づいて、線源制御装置２６に無効信号Ｓｇを出力する。
【０１０８】
撮影可能判別部９６からの許可信号Ｓｃ、又は警告信号出力部１０４からの警告信号Ｓｅ、禁止信号出力部１０６からの曝射禁止信号Ｓｆ及び無効信号出力部１６２からの無効信号Ｓｇは、第３送受信部１４４を通じてクレードル３０及び携帯情報端末３２に送信される。
【０１０９】
ところで、鉛文字板は、通常、保管設備に設置された鉛文字用ケースに収容されて保管される。この場合、タグ情報受信部は、上述したように、電子カセッテ内に設けるほか、鉛文字用ケースに設けることも可能である。
【０１１０】
すなわち、鉛文字用ケース３１０は、図１１に示すように、１以上の鉛文字板（第１鉛文字板３００ａ及び第２鉛文字板３００ｂ）を収容するためのケース本体３１２を有する。ここで、第１鉛文字板３００ａは、例えば「左」を示す「Ｌ」の鉛文字を有し、第２鉛文字板３００ｂは、例えば「右」を示す「Ｒ」の鉛文字を有する。もちろん、この他の例もありうる。
【０１１１】
ケース本体３１２はタグ情報受信部９４を有する。このタグ情報受信部９４は、例えば図１２Ａに示すように、第１鉛文字板３００ａの第１無線ＩＣタグ３０６ａ及び第２鉛文字板３００ｂの第２無線ＩＣタグ３０６ｂからの第１タグ情報Ｓｔ１及び第２タグ情報Ｓｔ２を受信するタグ情報受信部９４を有する。このタグ情報受信部９４は、図１２Ａに示すように、ケース本体３１２の裏面に設置するようにしてもよいし、図１２Ｂに示すように、ケース本体３１２に埋め込むようにしてもよい。
【０１１２】
また、鉛文字用ケース３１０には、図１１に示すように、技師が一目で確認できる位置に第４表示部３１６が設けられると共に、必要に応じて第４スピーカ３１８が設けられている。
【０１１３】
さらに、鉛文字用ケース３１０には、図１３に示すように、タグ情報受信部９４からのタグ情報等に基づいて第４表示部３１６や第４スピーカ３１８等を制御する制御部３２０と、情報をクレードル３０、携帯情報端末３２及びコンソール３４との間で送受信する送受信部５４とを有する。
【０１１４】
次に、上述した鉛文字用ケース３１０に対応した第２の実施の形態に係る放射線画像撮影システム（以下、第２放射線画像撮影システム１０Ｂと記す）について図１３及び図１４を参照しながら説明する。
【０１１５】
この第２放射線画像撮影システム１０Ｂは、図１４に示すように、上述した第１放射線画像撮影システム１０Ａとほぼ同様の構成を有するが、以下の点で異なる。
【０１１６】
すなわち、制御部３２０は、第２比較部３２２を有する第２撮影可能判別部３２４と、警告信号出力部１０４と、禁止信号出力部１０６と、第４表示制御部３２６と、第４音声出力制御部３２８とを有する。
【０１１７】
第２撮影可能判別部３２４の第２比較部３２２は、上述した第１放射線画像撮影システム１０Ａにおける電子カセッテ２８の比較部９８と比較演算の仕方が異なる。具体的には、第２比較部３２２は、第１無線ＩＣタグ３０６ａからの第１タグ情報Ｓｔ１及び第２無線ＩＣタグ３０６ｂからの第２タグ情報Ｓｔ２がタグ情報受信部９４を介して第２比較部３２２に入力されている間は、技師が、第１鉛文字板３００ａ及び第２鉛文字板３００ｂのいずれも取り出していないものと判断し、第１タグ情報Ｓｔ１及び第２タグ情報Ｓｔ２を確保（データメモリ等に記録）して、待機状態となる。
【０１１８】
そして、技師が１つの鉛文字板、例えば第１鉛文字板３００ａを鉛文字用ケース３１０から取り出すと、取り出された第１鉛文字板３００ａの第１無線ＩＣタグ３０６ａからの第１タグ情報Ｓｔ１はタグ情報受信部９４で受信されなくなる。
【０１１９】
そこで、第２比較部３２２は、受信されなくなった第１タグ情報Ｓｔ１と、送受信部５４を通じて受信された少なくとも撮影部位情報とが比較される。第２比較部３２２において第１タグ情報Ｓｔ１が撮影部位情報と対応していると判別された場合は、技師が正しい鉛文字板を取り出したものと判断し、第２撮影可能判別部３２４から許可信号Ｓｃが出力され、第２比較部３２２において第１タグ情報Ｓｔ１が撮影部位情報と対応していないと判別された場合は、技師が間違った鉛文字板を取り出したものと判断し、第２撮影可能判別部３２４から不許可信号Ｓｄが出力される。
【０１２０】
警告信号出力部１０４は、第２撮影可能判別部３２４からの不許可信号Ｓｄの出力に基づいて、警告を発するための警告信号Ｓｅを出力する。禁止信号出力部１０６は、不許可信号Ｓｄの出力に基づいて、放射線源２４からの放射線Ｘの出力を禁止するための曝射禁止信号Ｓｆを出力する。
【０１２１】
上述した許可信号Ｓｃ、又は警告信号Ｓｅ及び曝射禁止信号Ｓｆは、送受信部５４を通じて外部（例えば携帯情報端末３２、クレードル３０、コンソール３４等）にも送信される。
【０１２２】
第４表示制御部３２６は、第２撮影可能判別部３２４からの許可信号Ｓｃの出力に基づいて、鉛文字用ケース３１０に設置された第４表示部３１６に、鉛文字が正しい旨のメッセージやマーク（○マーク等）を表示するように制御し、警告信号出力部１０４からの警告信号Ｓｅの出力に基づいて、鉛文字が違っている旨のメッセージやマーク（×マーク等）を表示するように制御する。
【０１２３】
第４音声出力制御部３２８は、許可信号Ｓｃの入力に基づいて、第４スピーカ３１８を介して鉛文字が正しい旨のメッセージを音声出力するように制御し、警告信号Ｓｅの入力に基づいて、第４スピーカ３１８を介して警告を音声出力するように制御する。
【０１２４】
その他の動作は、第１放射線画像撮影システムと同様であるため、その説明を省略する。
【０１２５】
このように、第２放射線画像撮影システム１０Ｂにおいては、例えば右手２２ａを撮影する場合に、左を示す鉛文字板３００を貼り付けてしまうという間違いを簡単に防止することができ、撮影のトータル時間の短縮化、無駄な撮影の回避を実現することができる。
【０１２６】
特に、この第２放射線画像撮影システム１０Ｂでは、電子カセッテ２８にタグ情報受信部９４を設ける必要がないため、上述した電子カセッテ２８のほか、被写体を透過したＸ線が照射されることで放射線画像情報が記録される蓄積性蛍光体パネル（放射線変換パネル）を収容した放射線変換器（以下、ＩＰカセッテと記す）にも適用することができる。
【０１２７】
しかも、鉛文字板を鉛文字用ケースから取り出した段階で、その正誤が判別されるため、鉛文字板を電子カセッテやＩＰカセッテに設置した段階では、正しい鉛文字板が設置されていることになり、撮影作業をより迅速に行うことができる。
【０１２８】
この第２放射線画像撮影システム１０Ｂにおいても、上述した第１変形例に係る放射線画像撮影システム１０Ａａ〜第３変形例に係る放射線画像撮影システム１０Ａｃと同様の構成を採用することができる。
【０１２９】
通常、上述した鉛文字用ケース３１０は、図１５に示すように、保管設備３３０におけるキャビネットの棚板や机等に載置される。ここでは簡単に、キャビネットの棚板や机等を載置台３３２と記す。
【０１３０】
そして、タグ情報受信部９４は、上述したように、電子カセッテ２８内や鉛文字用ケース３１０のほか、載置台３３２に設けることも可能である。この場合、タグ情報受信部９４は、載置台３３２の上面（鉛文字用ケース３１０が載置される部分）に貼着するようにしてもよいし、載置台３３２に埋め込むようにしてもよい。
【０１３１】
また、載置台３３２には、図１５に示すように、技師が一目で確認できる位置に第５表示部３３４が設けられると共に、必要に応じて第５スピーカ３３６が設けられている。
【０１３２】
さらに、載置台３３２には、図１６に示すように、タグ情報受信部９４からのタグ情報等に基づいて第５表示部３３４や第５スピーカ３３６等を制御する制御部３２０と、情報をクレードル３０、携帯情報端末３２及びコンソール３４との間で送受信する送受信部５４とを有する。
【０１３３】
次に、上述した載置台３３２に対応した第３の実施の形態に係る放射線画像撮影システム（以下、第３放射線画像撮影システム１０Ｃと記す）について図１６及び図１７を参照しながら説明する。
【０１３４】
この第３放射線画像撮影システム１０Ｃは、図１７に示すように、上述した第２放射線画像撮影システム１０Ｂとほぼ同様の構成を有するが、以下の点で異なる。
【０１３５】
すなわち、制御部３２０は、第２比較部３２２を有する第２撮影可能判別部３２４と、警告信号出力部１０４と、禁止信号出力部１０６と、第５表示制御部３３８と、第５音声出力制御部３４０とを有する。
【０１３６】
そして、この場合も、技師が１つの鉛文字板、例えば第１鉛文字板３００ａを鉛文字用ケース３１０から取り出すと、取り出された第１鉛文字板３００ａの第１無線ＩＣタグ３０６ａからの第１タグ情報Ｓｔ１はタグ情報受信部９４で受信されなくなる。
【０１３７】
そこで、第２比較部３２２は、受信されなくなった第１タグ情報Ｓｔ１と、送受信部５４を通じて受信された少なくとも撮影部位情報とが比較される。第２比較部３２２において第１タグ情報Ｓｔ１が撮影部位情報と対応していると判別された場合は、技師が正しい鉛文字板を取り出したものと判断し、第２撮影可能判別部３２４から許可信号Ｓｃが出力され、第２比較部３２２において第１タグ情報Ｓｔ１が撮影部位情報と対応していないと判別された場合は、技師が間違った鉛文字板を取り出したものと判断し、第２撮影可能判別部３２４から不許可信号Ｓｄが出力される。
【０１３８】
警告信号出力部１０４は、第２撮影可能判別部３２４からの不許可信号Ｓｄの出力に基づいて、警告を発するための警告信号Ｓｅを出力する。禁止信号出力部１０６は、不許可信号Ｓｄの出力に基づいて、放射線源２４からの放射線Ｘの出力を禁止するための曝射禁止信号Ｓｆを出力する。
【０１３９】
上述した許可信号Ｓｃ、又は警告信号Ｓｅ及び曝射禁止信号Ｓｆは、送受信部５４を通じて外部（例えば携帯情報端末３２、クレードル３０、コンソール３４等）にも送信される。
【０１４０】
第５表示制御部３３８は、第２撮影可能判別部３２４からの許可信号Ｓｃの出力に基づいて、載置台３３２に設置された第５表示部３３４に、鉛文字が正しい旨のメッセージやマーク（○マーク等）を表示するように制御し、警告信号出力部１０４からの警告信号Ｓｅの出力に基づいて、鉛文字が違っている旨のメッセージやマーク（×マーク等）を表示するように制御する。
【０１４１】
第５音声出力制御部３４０は、許可信号Ｓｃの入力に基づいて、第５スピーカ３３６を介して鉛文字が正しい旨のメッセージを音声出力するように制御し、警告信号Ｓｅの入力に基づいて、第５スピーカ３３６を介して警告を音声出力するように制御する。
【０１４２】
その他の動作は、第２放射線画像撮影システム１０Ｂと同様であるため、その説明を省略する。
【０１４３】
このように、第３放射線画像撮影システム１０Ｃにおいては、例えば右手２２ａを撮影する場合に、左を示す鉛文字板３００を貼り付けてしまうという間違いを簡単に防止することができ、撮影のトータル時間の短縮化、無駄な撮影の回避を実現することができる。
【０１４４】
この第３放射線画像撮影システム１０Ｃにおいても、放射線変換器にタグ情報受信部を設ける必要がないため、上述した電子カセッテのほか、ＩＰカセッテにも適用することができる。
【０１４５】
しかも、鉛文字板を鉛文字用ケースから取り出した段階で、その正誤が判別されるため、鉛文字板を電子カセッテやＩＰカセッテに設置した段階では、正しい鉛文字板が設置されていることになり、撮影作業をより迅速に行うことができる。
【０１４６】
この第３放射線画像撮影システム１０Ｃにおいても、上述した第１変形例に係る放射線画像撮影システム１０Ａａ〜第３変形例に係る放射線画像撮影システム１０Ａｃと同様の構成を採用することができる。
【０１４７】
ところで、技師は、ＩＰカセッテを使用して放射線撮影を行った場合、ＩＰカセッテ内の蓄積性蛍光体パネルに記録された放射線画像情報を読み取るために、図１８に示す画像読取装置４００にセットする。
【０１４８】
この画像読取装置４００は、蓄積性蛍光体パネル４０２を収容したＩＰカセッテ４０４を挿入するための挿入口４０６を有するカセッテ装填部４０８と、走査ユニット４１０及び消去ユニット４１２が具備された画像読取部４１４とを有する。
【０１４９】
走査ユニット４１０は、図示しないが、励起光であるレーザビームを導出して蓄積性蛍光体パネル４０２を搬送方向と直交する方向に走査する励起部と、レーザビームによって励起されることで放出される放射線画像情報に係る輝尽発光光を集光する集光ガイドと、集光ガイドによって集光された輝尽発光光を電気信号に変換するフォトマルチプライヤとを備える。なお、集光ガイドの一端部には、輝尽発光光の集光効率を高めるための集光ミラーが近接して配設される。
【０１５０】
消去ユニット４１２は、図示しないが、消去光を出力する冷陰極管からなる複数の消去光源を有する。
【０１５１】
また、この画像読取装置４００は、放射線画像情報や患者情報、撮影メニュー等を表示する第６表示部４１６と、必要に応じて警報を鳴動させる第６スピーカ４１８とを備える。
【０１５２】
そして、この画像読取装置４００は、カセッテ装填部４０８の挿入口４０６近傍に設置されたタグ情報受信部９４と、タグ情報受信部９４からの出力信号に基づいて各種制御信号を生成して出力する駆動制御部４２０と、カセッテ装填部４０８の挿入口４０６を開閉自在に移動するシャッタ４２２と、駆動制御部４２０からの制御信号に基づいてシャッタ４２２を開閉駆動するシャッタ機構４２４とを有する。
【０１５３】
ここで、ＩＰカセッテ４０４に鉛文字板３００が付着していれば、鉛文字板３００に設けられている無線ＩＣタグ３０６からのタグ情報がタグ情報受信部９４にて受信されることになり、ＩＰカセッテ４０４に鉛文字板３００が付着していなければ、タグ情報受信部９４でのタグ情報の受信はなされない。従って、タグ情報受信部９４は、タグ情報を受信しない期間において正常信号（鉛文字板３００が存在しないことを示す信号）を出力し、タグ情報を受信している期間において異常信号（鉛文字板３００が存在することを示す信号）を出力する。正常信号及び異常信号は駆動制御部４２０に供給される。
【０１５４】
駆動制御部４２０は、正常信号が入力されている期間では、第６表示部４１６に正常を示すメッセージを出力するように制御し、異常信号が入力された時点で、第６表示部４１６に鉛文字が存在することを示すメッセージやマーク（×マーク等）を表示するように制御し、さらに、第６スピーカ４１８を介して警告を音声出力するように制御する。
【０１５５】
さらに、駆動制御部４２０は、正常信号が入力されている期間では、シャッタ機構４２４を、シャッタ４２２が挿入口４０６に対して開くように制御し、異常信号が入力された時点で、シャッタ４２２が閉じるように制御する。
【０１５６】
従って、画像読取装置４００におけるカセッテ装填部４０８の挿入口４０６に、ＩＰカセッテ４０４を挿入する際に、ＩＰカセッテ４０４に鉛文字板３００が付着されていなければ、シャッタ４２２は開いたままであるため、ＩＰカセッテ４０４の一部又は全部を画像読取装置４００内に挿入することができる。一方、ＩＰカセッテ４０４に鉛文字板３００が付着されていれば、第６表示部４１６に鉛文字が存在している旨のメッセージ等が表示され、第６スピーカ４１８から警告が音声出力することとなるため、技師は、ＩＰカセッテ４０４に鉛文字板３００が付着していることを認識することができる。しかも、挿入口４０６に対してシャッタ４２２が閉じることとなるため、鉛文字板３００が付着した状態のＩＰカセッテ４０４を画像読取装置４００内に挿入することが阻止される。もちろん、ＩＰカセッテ４０４に付着している鉛文字板３００を取り除けば、タグ情報受信部９４から正常信号が出力されることから、上述したように、ＩＰカセッテ４０４の一部又は全部を画像読取装置４００内に挿入することができる。
【０１５７】
このように、蓄積性蛍光体パネル４０２を有するＩＰカセッテ４０４に鉛文字板３００が付着されたまま画像読取装置４００に挿入してしまうという間違いを簡単に防止することができ、画像読取装置４００の故障誘発を回避することができる。
【０１５８】
なお、本発明は、上述した実施形態に限定されるものではなく、本発明の主旨を逸脱しない範囲で自由に変更できることは勿論である。
【０１５９】
例えば、電子カセッテ２８に収容される放射線検出器４４（放射線変換パネル）は、入射した放射線Ｘの線量を光電変換層６４によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【０１６０】
また、光変換方式の放射線検出器を利用して放射線画像情報を取得することもできる。この光変換方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【図面の簡単な説明】
【０１６１】
【図１】鉛文字板を示す斜視図である。
【図２】図２Ａは基材の裏面に無線ＩＣタグを貼着した例を示す断面図であり、図２Ｂは基材内に無線ＩＣタグを埋め込んだ例を示す断面図である。
【図３】第１放射線画像撮影システムを示す構成図である。
【図４】電子カセッテの内部構成図である。
【図５】電子カセッテに収納される放射線検出器の回路構成ブロック図である。
【図６】第１放射線画像撮影システムの構成ブロック図である。
【図７】第１放射線画像撮影システムの各制御部を主体に示す構成ブロック図である。
【図８】第１放射線画像撮影システムの第１変形例の各制御部を主体に示す構成ブロック図である。
【図９】第１放射線画像撮影システムの第２変形例の各制御部を主体に示す構成ブロック図である。
【図１０】第１放射線画像撮影システムの第３変形例の各制御部を主体に示す構成ブロック図である。
【図１１】鉛文字板を収容するための鉛文字用ケースを示す斜視図である。
【図１２】図１２Ａはケース本体の裏面にタグ情報受信部を設置した例を示す断面図であり、図１２Ｂはケース本体内にタグ情報受信部を埋め込んだ例を示す断面図である。
【図１３】第２放射線画像撮影システムの構成ブロック図である。
【図１４】第２放射線画像撮影システムの各制御部を主体に示す構成ブロック図である。
【図１５】鉛文字用ケースと該鉛文字用ケースが載置される載置台の一例を一部省略して示す斜視図である。
【図１６】第３放射線画像撮影システムの構成ブロック図である。
【図１７】第３放射線画像撮影システムの各制御部を主体に示す構成ブロック図である。
【図１８】本実施の形態に係る画像読取装置を示す構成図である。
【符号の説明】
【０１６２】
１０Ａ、１０Ａａ〜１０Ａｃ、１０Ｂ、１０Ｃ…放射線画像撮影システム
２８…電子カセッテ
３０…クレードル
３２…携帯情報端末
３４…コンソール
５２…カセッテ制御部
５４…送受信部
９４…タグ情報受信部
９６…撮影可能判別部
９８…比較部
１０４…警告信号出力部
１０６…禁止信号出力部
１０８…表示制御部
１１０…第１制御部
１１４…第１送受信部
１１６…第１表示部
１１８…第１スピーカ
１２０…第１表示制御部
１２２…第１音声出力制御部
１２４…第２制御部
１２８…第２送受信部
１３０…第２表示部
１３２…第２スピーカ
１３６…第２表示制御部
１３８…第２音声出力制御部
１４２…第３制御部
１４４…第３送受信部
１５４…第３表示部
１５６…第３スピーカ
１５８…第３表示制御部
１６０…第３音声出力制御部
３００、３００ａ、３００ｂ…鉛文字板
３０２…基材
３０６、３０６ａ、３０６ｂ…無線ＩＣタグ
３１０…鉛文字用ケース
３３２…載置台
４００…画像読取装置
４０４…ＩＰカセッテ
４２０…駆動制御部
【図１】
2009178522.tif 000003
【図２】
2009178522.tif 000004
【図３】
2009178522.tif 000005
【図４】
2009178522.tif 000006
【図５】
2009178522.tif 000007
【図６】
2009178522.tif 000008
【図７】
2009178522.tif 000009
【図８】
2009178522.tif 000010
【図９】
2009178522.tif 000011
【図１０】
2009178522.tif 000012
【図１１】
2009178522.tif 000013
【図１２】
2009178522.tif 000014
【図１３】
2009178522.tif 000015
【図１４】
2009178522.tif 000016
【図１５】
2009178522.tif 000017
【図１６】
2009178522.tif 000018
【図１７】
2009178522.tif 000019
【図１８】
2009178522.tif 000020